(57)【特許請求の範囲】
【請求項１】
一端の開口部から他端の開口部に向けて毛髪束を挿入可能に構成され、巻き上げ可能に構成されている筒状体と、該筒状体を巻き上げた状態を保持する固定部材とを有する毛髪保持具であって、
前記筒状体は、長手方向及び該長手方向に直交する幅方向を有しており、且つ巻き上げ時に内側に位置する一面シート及び巻き上げ時に外側に位置する他面シートを有しており、
前記他面シートは、前記幅方向に延び且つ前記長手方向に間欠的に並んだ複数のスリットを有しており、
前記固定部材は脱着自在に結合可能な第１及び第２部材を有しており、
前記一面シートは、前記長手方向において前記一端の開口部側に前記第１部材が設けられており、
前記他面シートは、前記複数のスリットを有する前記幅方向の中央域と、該中央域の両側に位置する一対の側部域とを有し、該一対の側部域それぞれに前記第２部材が前記長手方向に延びて設けられている、毛髪保持具。
【請求項２】
前記第１部材が機械的面ファスナーの雄部材であり、前記第２部材が機械的面ファスナーの雌部材である、請求項１に記載の毛髪保持具。
【請求項３】
前記第２部材は、前記側部域に存在する部分の前記幅方向の長さが、該第２部材の前記幅方向の長さの５０％以上１００％以下である、請求項１又は２に記載の毛髪保持具。
【請求項４】
前記第２部材の前記長手方向の長さは、前記筒状体の前記長手方向の長さの１０％以上１００％以下である、請求項１〜３の何れか１項に記載の毛髪保持具。
【請求項５】
前記第２部材は、前記長手方向において前記一端の開口部から、前記筒状体の前記長手方向の長さの０％以上９０％以下の範囲内に配されている、請求項１〜４の何れか１項に記載の毛髪保持具。
【請求項６】
前記第１部材は、前記幅方向に長い形状を有している、請求項１〜５の何れか１項に記載の毛髪保持具。
【請求項７】
前記筒状体は、前記一面シートと前記他面シートとを結合する一対の側部結合部と、該一対の側部結合部間に位置する筒状部とを有しており、
前記筒状部は、前記長手方向において前記一端の開口部と前記他端の開口部との間に前記毛髪束が挿入される空間を有している、請求項１〜６の何れか１項に記載の毛髪保持具。
【請求項８】
請求項１〜７の何れか１項に記載の毛髪保持具の製造方法であって、
前記第２部材と前記他面シートとを融着により一体化する、毛髪保持具の製造方法。
【請求項９】
請求項１〜７の何れか１項に記載の毛髪保持具の製造方法であって、
前記第２部材と前記他面シートとを縫合により一体化する、毛髪保持具の製造方法。
【請求項１０】
請求項１〜７の何れか１項に記載の毛髪保持具を用いて、前記毛髪束を前記筒状体に挿入し、該筒状体を巻き上げて該毛髪束に癖付け処理を行なう、毛髪保持具の使用方法。
【発明の詳細な説明】
【技術分野】
【０００１】
本発明は、毛髪保持具、該毛髪保持具の製造方法、及び該毛髪保持具の使用方法に関する。
【背景技術】
【０００２】
毛髪束にカール形状を付与する方法として、毛髪保持具の筒状体に毛髪束を挿通し、該筒状体を巻き上げる方法が知られている。このような方法に用いられる毛髪保持具として、例えば、特許文献１に記載のものが開示されている。【０００３】
上記のような毛髪保持具は、毛髪束とともに巻き上げられた後、毛髪束にカール形状を付与する癖付け処理が行われることが通常であり、その場合癖付け処理を行っている間は筒状体を巻回状態に維持する必要がある。筒状体の巻回状態を維持する観点から、本出願人は、特許文献２において、筒状体の一方の面を形成するシートが、オスのメカニカルファスナーと係合する係合シートからなり、前記筒状体の他方の面の毛髪束の挿入開口部の近傍に、前記係合シートと係合し得るオスのメカニカルファスナーが設けられている毛髪保持具を提案している。【０００４】
本出願人は、特許文献３において、筒状体の一方の面の端部近傍に第１のメカニカルファスナーが設けられており、該第１のメカニカルファスナーと係合し得る第２のメカニカル係合部が筒状体の他方の面に長手方向に所定間隔で離間して複数個設けられている、毛髪保持具を提案している。また、筒状体の一方の面に複数のスリットを設けることも提案している。
【先行技術文献】
【特許文献】
【０００５】
【特許文献１】米国特許第３２５５７６５号明細書
【特許文献２】特開２００４−２２２７６６号公報
【特許文献３】特開２００４−２０９２３７号公報
【発明の概要】
【０００６】
本発明は、一端の開口部から他端の開口部に向けて毛髪束を挿入可能に構成され、巻き上げ可能に構成されている筒状体と、該筒状体を巻き上げた状態を保持する固定部材とを有する毛髪保持具である。前記筒状体は、長手方向及び該長手方向に直交する幅方向を有しており、且つ巻き上げ時に内側に位置する一面シート及び巻き上げ時に外側に位置する他面シートを有している。前記他面シートは、前記幅方向に延び且つ前記長手方向に間欠的に並んだ複数のスリットを有している。前記固定部材は脱着自在に結合可能な第１及び第２部材を有している。前記一面シートは、前記長手方向において前記一端の開口部側に前記第１部材が設けられている。前記他面シートは、前記複数のスリットを有する前記幅方向の中央域と、該中央域の両側に位置する一対の側部域とを有し、該一対の側部域それぞれに前記第２部材が前記長手方向に延びて設けられている。
【０００７】
また本発明は、前記毛髪保持具の製造方法である。本発明の毛髪保持具の製造方法は、前記第２部材と前記他面シートとを融着により一体化する。
【０００８】
また本発明は、前記毛髪保持具の製造方法である。本発明の毛髪保持具の製造方法は、前記第２部材と前記他面シートとを接着により一体化する。
【０００９】
また本発明は、前記毛髪保持具の製造方法である。本発明の毛髪保持具の製造方法は、前記第２部材と前記他面シートとを縫合により一体化する。
【００１０】
また本発明は、前記毛髪保持具の使用方法である。本発明の毛髪保持具の使用方法は、前記毛髪束を前記筒状体に挿入し、該筒状体を巻き上げて該毛髪束に癖付け処理を行なう。
【図面の簡単な説明】
【００１１】
【図１】図１は、本発明の毛髪保持具の一実施形態を示す正面図（ａ）及び背面図（ｂ）である。
【図２】図２は、図１に示す毛髪保持具の毛髪束保持体を示す斜視図である。
【図３】図３は、図１に示す筒状体を螺旋状に保持した状態を示す斜視図である。
【図４】図４は、本発明に係る第２部材の配置を説明する拡大平面図である。
【図５】図５（ａ）及び（ｂ）は、本発明に係る第１部材及び第２部材の各形態を示す正面図である。
【図６】図６（ａ）及び（ｂ）は、補強材を有する毛髪保持具の幅方向に沿う厚み方向断面を示す模式図である。
【図７】図７は、図１に示す毛髪保持具を用いて癖付け処理を行う手順を順次示す説明図である。
【図８】図８（ａ）及び（ｂ）は、頭髪に図７に示す癖付け処理を施した状態を示す模式図である。
【図９】図９は、図１（ａ）に示すスリットの別の実施形態を示す拡大平面図である。
【発明の詳細な説明】
【００１２】
筒状体の巻回を容易に行い、且つ巻回状態の筒状体内の毛髪束にパーマ剤等の毛髪処理剤を効率的に付与する観点から、筒状体にスリットを設けることが知られている。しかし、筒状体の巻回状態を解除する際、スリットの端部に応力が集中することがある。この応力が高い場合、スリットの端部近傍で筒状体が破損することもある。
特許文献１には、筒状体を巻回状態に維持する手段や前記スリットが開示されていない。
特許文献２及び３に記載の毛髪保持具は、巻回状態を解除した際にスリットの端部近傍に応力が集中することを防ぐ点について改善の余地があった。
【００１３】
したがって、本発明の課題は、前述した従来技術が有する欠点を解消し得る毛髪保持具及びその製造方法を提供することにある。
【００１４】
以下、本発明の毛髪保持具を、その好ましい実施形態に基づき、図面を参照しながら説明する。本発明の毛髪保持具は、毛髪束に癖付けを行う癖付け処理に用いられる。「癖付け」は、毛髪束にカール形状や螺旋形状等の特定の形状を付与することである。
また、本発明の毛髪保持具は、主に頭髪に用いられる。
【００１５】
図１（ａ）及び（ｂ）に本発明の毛髪保持具の一実施形態を示す。図１（ａ）及び（ｂ）に示す毛髪保持具１は、一端の開口部２１から他端の開口部２２に向けて毛髪束Ｈを挿入可能に構成された筒状体２を備えている。具体的には、筒状体２は、後述する一面シート２３Ａ及び他面シート２３Ｂとして、一方向に長い２枚のシート２３Ａ，２３Ｂを備え、該２枚のシート２３Ａ，２３Ｂが積層された扁平形状を有している。また、筒状体２は、一面シート２３Ａと他面シート２３Ｂとを結合する一対の側部結合部２４，２４と、該一対の側部結合部２４，２４間に位置する筒状部２６とを有している。一対の側部結合部２４，２４は、２枚のシート２３Ａ，２３Ｂの延在方向に沿う側縁部どうしを結合している。筒状部２６は、長手方向Ｘにおいて一端の開口部２１と他端の開口部２２との間に毛髪束Ｈが挿入される空間を有している。本実施形態において、側部結合部２４，２４は、縫合糸を用いた縫合によって形成されている。なお、後述する図４〜図６は、側部結合部２４の縫合糸の図示を省略する。
【００１６】
本実施形態における筒状体２は、長手方向Ｘ及び該長手方向Ｘに直交する幅方向Ｙを有している。筒状体２の長手方向Ｘは、筒状部２６の延在方向と一致しており、毛髪束Ｈの挿入方向に対応する。
筒状体２は、本実施形態のように、長手方向Ｘに沿う両側縁部が互いに平行であるが、該両側縁部が互いに平行でなくともよい。その場合、前記両側縁部は、一端の開口部２１から他端の開口部２２に向かうに連れ漸次幅方向Ｙの外方に延びていることが好ましい。換言すると、平面視において筒状体２は他端の開口部２２に向かって末広がり状の形状を有していることが好ましい。
【００１７】
筒状体２は、巻き上げ可能に構成されている。巻き上げ可能な構成とは、図２に示すように、筒状体２を巻回してロール状にすることが可能であることを意味する。このような構成は、自動的に巻き上がる構成であることが好ましいが、手動で巻き上げる構成であってもよい。自動的に巻き上がる構成としては、例えば、自然状態において、筒状体２がロール状に巻回されており、筒状体２を引き伸ばして毛髪束Ｈを挿入した後に、その引き伸ばした状態を解除すると、該筒状体２が毛髪束Ｈとともに巻き上がるようになされている構成が挙げられる。このような構成は、筒状体２を構成する２枚のシート２３Ａ，２３Ｂの何れか一方又は双方が、毛髪保持具１を巻き上げた状態を記憶させてある形状記憶シートからなることにより具備することができる。形状記憶シートは、熱収縮率の異なるフィルムあるいは張力の違うフィルムを貼り合わせることによって形成することができる。また、筒状体２は、筒状体２を構成するシート２３Ａ，２３Ｂを加熱することにより、記憶していた元のロール状に復帰するものであっても良い。本明細書において「自然状態」とは、温度２０℃、湿度４０％の環境下において、毛髪保持具に外力を加えない状態で、水平面上に毛髪保持具を載置した状態を意味する。
筒状体２において巻き上げ時に内側に位置するシートを一面シート２３Ａ、巻き上げ時に外側に位置するシートを他面シート２３Ｂともいう。
【００１８】
毛髪保持具は、筒状体の一端の開口部から他端の開口部に向けて毛髪束を挿入した後、毛髪束とともに筒状体を巻き上げることでロール状になる。以下、筒状体が巻き上げられてロール状となったものを毛髪束保持体ともいう。毛髪束保持体においては、巻き上げられたロールの中心側に他端の開口部が位置している。前記中心は、ロール状の毛髪束保持体の中心軸である。以下、毛髪束保持体における中心を単に「中心」ともいう。毛髪束保持体は、中心軸方向に直交する径方向の断面において渦巻き状となっている。
【００１９】
毛髪保持具は、筒状体を巻き上げた状態を保持する固定部材５を有している。即ち、固定部材５は、筒状体をロール状に保持し得る。固定部材５は、脱着自在に結合可能な第１部材５ａ及び第２部材５ｂを有している。このような固定部材５として、互いに脱着自在に結合可能な複数の部材からなる結合部材又は雌雄部材が挙げられる。前記結合部材としては、被着体選択性粘着テープ、磁石等が挙げられ、前記雌雄部材としては、ホック、機械的面ファスナー等が挙げられる。
【００２０】
前記被着体選択性粘着テープは、特定の物質とのみ接着し、それ以外の物質に対しては実質的に接着しない性質を有する粘着テープである。この「実質的に接着しない」とは、被着体選択性粘着テープが前記特定の物質以外の物質と全く接着状態を形成しない場合の他に、被着体選択性粘着テープが、前記特定の物質以外の物質と接着状態を形成しても、該物質と被着体選択性粘着テープとの間に、僅かでも相対的な運動が生じた場合には、速やかにその接着状態が消失する場合も含まれる。このような被着体選択性粘着テープは、テープ基材と該テープ基材に塗布された自着剤とを備えており、該自着剤が、同種の物質にのみ接着し、他の物質に対しては実質的に接着しない性質を有している。即ち、自着剤は、自着剤同士でのみ接着性を有する。
上記の構成を備える被着体選択性粘着テープとしては、例えば、特開２００７−１６７１９２号公報に記載の自着剤とテープ基材とを備えた粘着テープ等を用いることができる。
【００２１】
他面シートは、幅方向Ｙに延び且つ長手方向Ｘに間欠的に並んだ複数のスリットを有している。斯かる構成により、筒状体２をスムーズに巻き上げることができる。本実施形態においてスリットは、他面シートをその厚み方向に貫通した切れ込みである。
本実施形態における毛髪保持具１は、他面シート２３Ｂに、前記複数のスリット２５を有し、該複数のスリットは直列に並んでいる。本実施形態において複数のスリット２５は何れも幅方向Ｙの長さが同じであるが、各スリットの幅方向Ｙの長さが異なっていてもよい。また、スリットは、図９に示すように、その両端部に円形の部分を有していてもよい。図９に示すスリットは、幅方向Ｙ中央の直線部分に比して、両端部の長手方向Ｘの長さが長い。このようなスリットは、例えば、その両端部が打ち抜き加工により円形に形成されたものであってもよい。
【００２２】
本実施形態における毛髪保持具１は、筒状体２の一端の開口部２１側に、一面シート２３Ａが筒状体２から長手方向Ｘの外方に延出した延設部４を有している。延設部４は一面シート２３Ａと一体的に形成されている。毛髪保持具は、延設部を有していなくともよいが、毛髪束を筒状体に容易に挿入させる観点から、延設部を有していることが好ましい。
【００２３】
一面シートは、長手方向Ｘにおいて一端の開口部側に第１部材が設けられている。一面シートは、長手方向Ｘにおいて一端の開口部側であれば、筒状体２を形成する部分又は筒状体２を形成しない部分に第１部材が設けられていればよい。筒状体２を形成しない部分としては、例えば前述の延設部が挙げられる。
本実施形態において一面シート２３Ａは、長手方向Ｘにおいて一端の開口部２１側に位置する延設部４に第１部材５ａが設けられている。第１部材５ａは、図１（ｂ）に示すように、延設部４の外面側に位置し、幅方向Ｙに長い形状を有している。「外面」とは、毛髪保持具１において、毛髪束が挿入される空間を形成する面とは反対側の面である。
【００２４】
他面シートは、複数のスリット２５を有する幅方向Ｙの中央域Ｍと、該中央域Ｍの両側に位置する一対の側部域Ｓ，Ｓとを有している。中央域Ｍは、複数のスリット２５が配された領域であり、筒状体２の幅方向Ｙの中央に位置している。一対の側部域Ｓ，Ｓは、中央域Ｍを挟んでその幅方向Ｙの両外側に形成されている。
【００２５】
他面シートは、一対の側部域Ｓ，Ｓそれぞれに第２部材が長手方向Ｘに延びて設けられている。本実施形態において第２部材５ｂは、図１（ａ）に示すように、他面シート２３Ｂの外面側に位置し長手方向Ｘに連続して延びて形成されている。
【００２６】
本実施形態の毛髪保持具１は、図２に示すように筒状体２を巻き上げた状態に保持することで、毛髪束Ｈの癖付け処理に用いられる。毛髪保持具１は、筒状体２を巻き上げた毛髪束保持体３において、一面シート２３Ａの外面と他面シート２３Ｂの外面とが部分的に対向する。より具体的には、毛髪束保持体３、即ち巻回状態の筒状体２において、外周部分３１を構成する一面シート２３Ａの長手方向Ｘの一端の開口部２１側の外面と、該外周部分３１に隣接する巻回部分を構成する他面シート２３Ｂの外面とが対向する。外周部分３１は、巻回状態の筒状体２において、中心軸から最も遠い巻回部分であり、ロール状に巻き上げた筒状体２おいてその巻き径が最も大きい部分である。そして、これら両シート２３Ａ，２３Ｂが対向する部分に位置する第１部材５ａと第２部材５ｂとが結合可能となる。これにより、筒状体２は巻き上げた状態、即ちロール状に保持される。また、筒状体２内に保持された毛髪束Ｈもロール状に保持される。その結果、毛髪保持具１は毛髪束Ｈにカール形状を付与することができる。
なお、本実施形態において、外周部分３１は筒状体２の巻回部分であり、延設部４は含まれない。
【００２７】
本実施形態の毛髪保持具１は、筒状体２を巻き上げた状態で、スリット２５からパーマ剤等の毛髪処理剤を注入することができる。本実施形態の毛髪保持具１は、第２部材５ｂが他面シート２３Ｂの一対の側部域Ｓ，Ｓそれぞれに位置しているため、毛髪処理剤を注入する際、第２部材５ｂに毛髪処理剤が吸収され難く、巻き上げた筒状体２内の毛髪束Ｈに効率的に毛髪処理剤を付与することができる。
また、本実施形態の毛髪保持具１では、筒状体２の巻回状態を解除する際、一対の側部域Ｓ，Ｓにおいて第１部材５ａと第２部材５ｂとの結合が解かれるため、該結合を解く際の応力がスリット２５端部やその近傍に集中し難い。これにより、筒状体２の巻回状態を解除する際に生じる応力によって、スリットの端部近傍で筒状体が破損することを防止することができる。
【００２８】
一方、筒状体の幅方向Ｙの中央部に固定部材が配されていると、毛髪処理剤を該固定部材が吸収することがあり、毛髪束に効率的に毛髪処理剤を付与することが困難である。そればかりか、前記中央部において固定部材どうしが結合されるため、筒状体の巻回状態を解除する際、該中央部が引っ張られて前記結合を解く際の応力がスリット端部やその近傍に集中する。これにより、他面シートのスリット間部分が破れ、筒状体が破損することがある。
【００２９】
さらに、本実施形態の毛髪保持具１は、図２に示すように、筒状体２を巻き上げてロール状に保持できる他、図３に示すように、筒状体２をロール状から螺旋状に変形させ、該螺旋状に保持することもできる。
筒状体２を螺旋状に変形させる方法は以下の通りである。
【００３０】
筒状体２をロール状に巻き上げて毛髪束保持体３を形成する。この毛髪束保持体３は、外周部分３１と、外周部分３１より中心側に位置する部分３３とを有する。前記中心側に位置する部分３３を、以下、「中心側部分３３」ともいう。毛髪束保持体３において中心側部分３３は、外周部分３１に比して中心軸から相対的に近い巻回部分であり、外周部分３１よりも巻き径が小さい。中心側部分３３を構成する巻回部分は、その巻回数が１回未満又は１回であってもよく、２回以上の複数回であってもよい。図２に示す毛髪束保持体３の中心側部分３３は、３回の巻回数で形成された巻回部分からなる。
毛髪束保持体３における中心側部分３３を、該毛髪束保持体３の側方に引き出すことによって、図３に示すように筒状体２を螺旋状の形態に変形させる。「毛髪束保持体３の側方」とは、毛髪束保持体３における筒状体２の幅方向Ｙの外方であり、該側方は、毛髪束保持体３の中心軸方向に沿う。このように前記中心側部分を毛髪束保持体３の側方に引き出すことにより、毛髪束保持体３の外周部分から、中心側部分を前記側方にずらして、筒状体２を螺旋状の形態に変形させる。図３に示す筒状体２において、引き出された中心側部分３３の各巻回部分を外周部分３１から遠い順に、第１巻回部ｒ１、第２巻回部ｒ２、第３巻回部ｒ３と表す。螺旋状の形態に変形した筒状体２は、外周部分３１から離れるに連れ先窄まった形状となる。即ち、第３巻回部ｒ３から第１巻回部ｒ１に向かうに連れ、径方向の大きさが小さくなっている。
【００３１】
筒状体２を螺旋状にすると、長手方向Ｘに延びる第２部材５ｂは、最も巻径の大きい外周部分３１、又は該外周部分３１に隣接する他の巻回部分に位置するため、一面シート２３Ａの一端の開口部２１側に位置する第１部材５ａと結合可能となる。本実施形態においては、図３に示すように、第３巻回部ｒ３と外周部分３１とが重なる部分において、第１部材５ａと第２部材５ｂとが結合する。この第１及び第２部材の結合により、毛髪保持具１は、筒状体２を螺旋状に保持するとともに、該筒状体２内の毛髪束Ｈも螺旋状に保持することができる。このようにして、本実施形態の毛髪保持具１は、筒状体２内に保持される毛髪束Ｈに螺旋形状も付与することもできるため、毛髪束に付与する形状の自由度が高い。
【００３２】
固定部材が雌雄部材である場合、第１部材が雄部材であり、第２部材が雌部材であってもよく、第１部材が雌部材であり、第２部材が雄部材であってもよい。一方、筒状体を毛髪束とともに巻き上げた後、筒状体からはみ出た毛髪束の余剰の部分を筒状体の外周部に巻きつけることもある。筒状体の外周部に巻きつけた前記余剰の部分が固定部材に絡まることを抑制する観点から、第１部材は機械的面ファスナーの雄部材であり、第２部材が機械的面ファスナーの雌部材であることが好ましい。
【００３３】
第１部材と第２部材との結合を解く以外に応力がかかった場合、例えばスリットに毛髪挿入具や指が引っ掛かった際の応力がスリットの端部に集中した場合、これによりスリットが破損することを抑制する観点から、第２部材が、スリットの端部と重なるように配置されていることが好ましい。この場合、第２部材５ｂは、図４に示すように、その一部が側部域Ｓから中央域Ｍ側に延出している。
前記応力により、筒状体２が破損することをより防止する観点から、第２部材５ｂは、側部域Ｓに存在する部分の長さＷ１２（図４参照）が、第２部材５ｂの幅方向Ｙの長さＷ１０（図４参照）の好ましくは５０％以上、より好ましくは７０％以上であり、また好ましくは１００％以下、より好ましくは９０％以下であり、また好ましくは５０％以上１００％以下、より好ましくは７０％以上９０％以下である。
また、各巻回部分の巻径差を小さくする観点から、第２部材は、側部結合部と重ならない位置に配置されていることが好ましい。
【００３４】
第２部材は、本実施形態のように長手方向Ｘに連続して延びていてもよく、長手方向Ｘに間欠的に延びていてもよい。第２部材が「間欠的に延びる」とは、図５（ａ）に示すように、第２部材が、長手方向Ｘに間隔を空けて並ぶ複数の小第２部材５ｄから構成されていることを意味する。
筒状体の螺旋の巻径を幅広く調整する観点から、第２部材の長手方向Ｘの長さＬ５〔図１（ａ）参照〕は、筒状体２の長手方向Ｘの長さＬ２〔図１（ｂ）参照〕の好ましくは１０％以上、より好ましくは２０％以上であり、また好ましくは１００％以下、より好ましくは９０％以下であり、また好ましくは１０％以上１００％以下、より好ましくは２０％以上９０％以下である。
第２部材が長手方向Ｘに間欠的に延びている場合、第２部材の長手方向Ｘの長さＬ５は、小第２部材５ｄどうし間の長さを含んだ長さとする〔図５（ａ）参照〕。
【００３５】
第２部材が間欠的に延びている場合、小第２部材５ｄは、図５（ａ）に示すように、長手方向Ｘにおいてスリット間に位置してもよく、長手方向Ｘにおいてスリットと重なるように位置してもよい。
【００３６】
筒状体を容易に小径の螺旋状に変形させる観点から、第２部材は、長手方向Ｘにおいて一端の開口部２１側に配されていることが好ましい。同様の観点から、第２部材は、長手方向Ｘにおいて一端の開口部２１から、筒状体の長手方向Ｘの長さＬ２〔図１（ｂ）参照〕の好ましくは０％以上９０％以下の範囲内、より好ましくは５％以上８５％以下の範囲内、さらに好ましくは１０％以上８０％以下の範囲内に配されている。ここで、長手方向Ｘにおいて「一端の開口部２１から筒状体の長手方向Ｘの長さＬ２の０％」とは、長手方向Ｘにおいて一端の開口部２１と重なる位置であり、一端の開口部２１と第２部材の一端の開口部２１側の端部とが重なるように、該第２部材が配されていることを意味する。
【００３７】
第１部材は、本実施形態のように幅方向Ｙに連続して延びていてもよく、幅方向Ｙに間欠的に延びていてもよい。第１部材が「間欠的に延びる」とは、第１部材が幅方向Ｙに間隔を空けて並ぶ複数の小第１部材から構成されていることを意味する。また、第１部材は、図５（ｂ）に示すように、幅方向Ｙに離間した位置に複数個配されていてもよい。
第１部材の形態に拘わらず、長手方向Ｘに延びる第２部材を有する毛髪保持具は、前述のように筒状体を螺旋状に保持することができる。螺旋の巻径の微調整を容易に行う観点から、第１部材は、幅方向Ｙに長い形状であることが好ましい。また、同様の観点から、第１部材の幅方向Ｙの長さＷ５〔図１（ａ）参照〕は、筒状体２の幅方向Ｙの長さＷ２〔図１（ｂ）参照〕の好ましくは７０％以上、より好ましくは８０％以上であり、また好ましくは１００％以下、より好ましくは９５％以下であり、また好ましくは７０％以上１００％以下、より好ましくは８０％以上９５％以下である。第１部材が幅方向Ｙに間欠的に延びている場合、第１部材の幅方向Ｙの長さＷ５は、小第１部材どうし間の長さを含んだ長さとする。第１部材が幅方向Ｙに離間した位置に複数個配されている場合、幅方向Ｙにおける複数個の第１部材の長さの合計が、前記の範囲内であることが好ましい。
【００３８】
毛髪保持具の巻き上げ力を向上させる観点から、毛髪保持具は一対の側部結合部２４，２４に補強材を有していることが好ましい。補強材７は、筒状体２の巻き上げ力を向上させる目的で配されるシートである。補強材７の幅方向Ｙの長さは、一対の側部結合部２４，２４間に亘らない長さであっても良い。補強材７は、筒状体２の両側部結合部２４，２４に長手方向Ｘに沿って配されていることが好ましく、側部結合部２４，２４と重なるように配されていることがより好ましい。
【００３９】
前記補強材を有する毛髪保持具を、図６（ａ）及び（ｂ）に示す。図６（ａ）に示す毛髪保持具１Ａは、筒状部２６を構成する２枚のシート材２３Ａ，２３Ｂの何れか一方の外面に配された補強材７を有している。巻き上げ力をより向上させる観点から、補強材７は、他面シート２３Ｂの外面に配されていることが好ましい。図６（ｂ）に示す毛髪保持具１Ｂは、筒状部２６を構成する２枚のシート材２３Ａ，２３Ｂ間に配された補強材７を有している。尚、筒状体２を構成するシートどうしは側部結合部２４にて結合されているが、説明の便宜上、図６（ａ）及び（ｂ）において、筒状体２を構成するシートどうしの間には隙間があるように描かれている。
補強材には、毛髪保持具１の巻き上げ力を向上し得る素材を用いることができ、例えば、不織布（ポリエチレン不織布、ポリエチレンテレフタレート不織布等）、織布、網状シート、多孔性又は非多孔性の樹脂フィルム（ポリエチレンフィルム、ポリエチレンテレフタレートフィルム等）、紙、高分子材料シート、ゴムシート、又はこれらの複合体等のシート状の素材が挙げられる。
【００４０】
本実施形態の毛髪保持具１は、図１（ａ）及び（ｂ）に示すように、筒状体２の長手方向Ｘに沿う両側縁部それぞれの他端の開口部２２側の近傍に巻き締め片８を有している。巻き締め片８は、図１（ｂ）に示すように、筒状体２から幅方向Ｙの外方側に延出して一面シート２３Ａと一体的に形成されており、平面視形状が半円状である。毛髪保持具は巻き締め片を有することにより、該巻き締め片を手で把持して筒状体を巻き上げることで、該筒状体を容易に且つ必要に応じてきつく巻き上げることができる。また、巻き締め片８を把持して中心側部分を側方に引き出すことにより、筒状体を容易に螺旋状に変形させることができる点で好ましい。巻き締め片８の形成方法、形状、大きさ、厚さ、配置等は適宜設定できる。
【００４１】
筒状体２の寸法等は、毛髪の長さや癖付けしたい場所、挿入する毛髪束の量に応じて適宜に決定することができるが、下記の範囲であることが好ましい。
幅方向Ｙにおける筒状体２の長さＷ２〔図１（ｂ）参照〕は、好ましくは２５ｍｍ以上、より好ましくは３０ｍｍ以上であり、また好ましくは２００ｍｍ以下、より好ましくは１５０ｍｍ以下であり、また好ましくは２５ｍｍ以上２００ｍｍ以下、より好ましくは３０ｍｍ以上１５０ｍｍ以下である。
【００４２】
長手方向Ｘにおける毛髪保持具１の長さＬ１〔図１（ｂ）参照〕は、好ましくは５０ｍｍ以上、より好ましくは１００ｍｍ以上であり、また好ましくは４００ｍｍ以下、より好ましくは３５０ｍｍ以下であり、また好ましくは５０ｍｍ以上４００ｍｍ以下、より好ましくは１００ｍｍ以上３５０ｍｍ以下である。長手方向Ｘにおける毛髪保持具１の長さＬ１は、長手方向Ｘにおける延設部４と、筒状体２との合計長さである。
長手方向Ｘにおける筒状体２の長さＬ２〔図１（ｂ）参照〕は、好ましくは４５ｍｍ以上、より好ましくは９０ｍｍ以上であり、また好ましくは３００ｍｍ以下、より好ましくは２７５ｍｍ以下であり、また好ましくは４５ｍｍ以上３００ｍｍ以下、より好ましくは９０ｍｍ以上２７５ｍｍ以下である。本実施形態の筒状体２は、一端の開口部２１側の端部が、長手方向Ｘの内側に向かって凹状に湾曲している。このように、長手方向Ｘにおける筒状体２の長さが、幅方向Ｙの位置により異なる場合、長手方向Ｘにおける筒状体２の最大長さが、前述の範囲内であることが好ましい。
【００４３】
幅方向Ｙにおける他端の開口部２２の長さＷ２２〔図１（ｂ）参照〕は、幅方向Ｙにおける筒状体２の長さＷ２〔図１（ｂ）参照〕に対して、好ましくは４０．０％以上、より好ましくは６６．７％以上であり、また好ましくは９７．５％以下、より好ましくは９６．７％以下であり、また好ましくは４０．０％以上９７．５％以下、より好ましくは６６．７％以上９６．７％以下である。
幅方向Ｙにおける他端の開口部２２の長さＷ２２〔図１（ｂ）参照〕は、好ましくは１０ｍｍ以上、より好ましくは２０ｍｍ以上であり、また好ましくは１９５ｍｍ以下、より好ましくは１４５ｍｍ以下であり、また好ましくは１０ｍｍ以上１９５ｍｍ以下、より好ましくは２０ｍｍ以上１４５ｍｍ以下である。
本実施形態において、幅方向Ｙにおける他端の開口部２２の長さＷ２２は、幅方向Ｙにおける一端の開口部２１の長さと同じである。幅方向Ｙにおける、他端の開口部２２の長さと、一端の開口部２１の長さとは同じであっても良いし、それぞれ異なっていても良い。
【００４４】
ここで、他面シート２３Ｂの幅方向に延びるスリット２５は、切れ込みの細幅が３ｍｍ未満のものを意味する。また、幅方向Ｙにおけるスリット２５の長さＷ６〔図１（ａ）参照〕は、幅方向Ｙにおける筒状体２の長さＷ２に対して、好ましくは４０．０％以上、より好ましくは５０．０％以上であり、また好ましくは９０．０％以下、より好ましくは８０．０％以下であり、また好ましくは４０．０％以上９０．０％以下、より好ましくは５０．０％以上８０．０％以下である。
また、幅方向Ｙにおけるスリット２５の長さＷ６〔図１（ａ）参照〕は、好ましくは１０ｍｍ以上、より好ましくは１５ｍｍ以上であり、また好ましくは１８０ｍｍ以下、より好ましくは１２０ｍｍ以下であり、また好ましくは１０ｍｍ以上１８０ｍｍ以下、より好ましくは１５ｍｍ以上１２０ｍｍ以下である。
【００４５】
本実施形態の毛髪保持具を用いて癖付け処理を行う方法を説明する。前記癖付け処理を行う方法を以下、本実施形態の毛髪処理方法ともいう。本実施形態の毛髪処理方法を図７（ａ）〜（ｄ）に示す。
本実施形態の毛髪処理方法は、上述した実施形態の毛髪保持具を用いて、毛髪束Ｈを筒状体２に挿入し、該筒状体２を巻き上げて該毛髪束Ｈに癖付け処理を行う。より具体的には、本実施形態の毛髪処理方法は、毛髪束Ｈを筒状体２に挿入する工程と、毛髪束保持体３を形成する工程と、筒状体２を螺旋状の形態に変形させる工程と、毛髪束Ｈに癖付け処理を行う工程とを具備する。以下、毛髪束Ｈを筒状体２に挿入する工程を挿入工程、毛髪束保持体３を形成する工程を巻き上げ工程、筒状体を螺旋状に変形させる工程を形態変形工程、及び毛髪束に癖付け処理を行う工程を癖付け処理工程ともいう。
【００４６】
本実施形態においては、前記巻き上げ工程の前の段階で、挿入工程を備える。本工程では、図７（ａ）に示すように、毛髪束Ｈを筒状体２の一端の開口部２１から他端の開口部２２に向けて、筒状体２を構成する２枚のシート２３Ａ，２３Ｂ間に挿入する。これにより、筒状体２において毛髪束Ｈは、根元側が一端の開口部２１側に、毛先側が他端の開口部２２側に位置する。挿入工程における毛髪束Ｈの挿入作業は、作業者の手で行ってもよく、筒状体２に毛髪束Ｈを挿入する長尺状の毛髪挿入具を用いて行ってもよい。毛髪挿入具としては、例えば毛髪束Ｈを係止し得る係止部と、所定の長さを有する長尺状の挿入具本体とを有するものが挙げられる。より具体的には、毛髪挿入具は、挿入具本体が、細長板状に形成され、その端部は先細形状であり、一端の開口部に挿入し易くなっている。挿入具本体は、硬質の合成樹脂シート等から形成されることが好ましい。係止部は、挿入具本体の一端に設けられ、縦長の輪状に形成されており、この輪の中に毛髪束が挿通し係止される。
本工程では、毛髪束を筒状体に挿入できればよく、毛髪束を筒状部２６に貫通させる必要はない。換言すれば、毛髪束の先端を筒状体の他端の開口部からはみ出させる必要はない。
【００４７】
前記巻き上げ工程においては、筒状体２を、該筒状体に挿入した前記毛髪束とともに巻き上げ、前記毛髪束保持体を形成する。この巻き上げ工程では、図７（ｂ）に示すように、筒状体２を他端の開口部２２から一端の開口部２１に向けて、長手方向Ｘに沿って巻き上げる。即ち、他端の開口部２２がロール状の毛髪束保持体３の中心側に位置するように、筒状体２を巻き上げる。これにより、毛髪束Ｈは、毛先側が毛髪束保持体の中心側に、根元側が毛髪束保持体３の外周部側に位置する。本工程において、毛髪束保持体は、前記の自動的に巻き上がる構成によって形成されてもよく、前記の手動で巻き上げる構成によって形成されてもよい。また、毛髪束保持体は、自動的に巻き上がる構成によって筒状体２を巻き上げた後、さらに手動で巻き締め又は巻き戻し操作を行うことにより形成されてもよい。本実施形態の毛髪処理方法において、毛髪束に螺旋形状以外のカール形状を付与する場合、次工程の形態変形工程を行わないで、癖付け処理工程に進んでもよい。
【００４８】
前記形態変形工程においては、図７（ｃ）に示すように、毛髪束保持体３における中心側部分３３を、該毛髪束保持体３の側方に引き出すことによって、筒状体２を螺旋状の形態に変形させる。螺旋状の形態に容易に変形させる観点から、長手方向Ｘにおける他端の開口部２２近傍の筒状部２６又は何れか一方の側縁部を把持して、中心側部分３３を引き出すことが好ましく、該何れか一方の側縁部を把持して引き出すことがより好ましい。なお、本実施形態の毛髪保持具１は、長手方向Ｘの他端の開口部２２側に、巻き締め片８を有しているところ、該巻き締め片８を把持して中心側部分を引き出してもよい。
【００４９】
本実施形態の毛髪処理方法では、前記形態変形工程において、毛髪束保持体の側方に引き出す部分に対して、巻き締め又は巻き戻し操作を行う。以下、巻き締め又は巻き戻し操作を巻き調整操作ともいう。斯かる構成により、毛髪束の螺旋形状の巻き径を略均一にすることができる。本実施形態においては、前記形態変形工程で図７（ｃ）に示すように、筒状体２を螺旋状にした後、図７（ｄ）に示すように、該筒状体２を巻き戻して、第１巻回部ｒ１、第２巻回部ｒ２、第３巻回部ｒ３、及び外周部分３１の各巻き径の差を小さくしている。例えば外周部分３１から最も遠い巻回部分における側縁部を把持して行うことができる。図７（ｄ）を用いて説明すると、第１巻回部ｒ１の側縁部を把持して該第１巻回部ｒ１を巻き戻すと、それに伴って第２巻回部ｒ２及び第３巻回部ｒ３が巻き戻される。これにより、第１〜３巻回部ｒ１，ｒ２，ｒ３の巻き径を、外周部分３１の巻き径に近づけることができる。また、前記巻き調整操作は、中心側部分の各巻回部分における側縁部を把持しても行うことができ、その場合、各巻回部分の巻き径の微調整を行うことができる。このような簡便な巻き調整操作によって、筒状体２内の毛髪束Ｈの各巻回部分の巻き径を略均一にすることができ、毛髪束Ｈの螺旋形状をよりきれいに仕上げることができる。なお、形態変形工程において、前記巻き調整操作を行わず、次工程の癖付け処理工程に進んでもよい。
【００５０】
前記癖付け処理工程においては、筒状体の螺線状の形態を維持しながら毛髪束に癖付け処理を行う。本工程では、前記固定部材によって、筒状体を螺旋状に保持する。筒状体を螺旋状に保持することにより、該筒状体内に保持された毛髪束も螺旋状に維持される。この状態下で毛髪束に癖付け処理を行う。癖付け処理は、毛髪束に螺旋形状を付与する処理であり、例えば螺旋状の筒状体を所定時間放置する処理、該筒状体を加熱する処理、スリットからパーマネントウェーブ剤等の毛髪処理剤を毛髪束に加える処理等が挙げられる。
【００５１】
前記癖付け処理工程は、図８（ａ）に示すように、筒状体から毛髪束を抜き取って完了する。筒状体から抜き取った毛髪束には、例えば図８（ｂ）に示すような螺旋形状が付与される。癖付け処理工程後、必要に応じて、癖付け処理をした毛髪束に後処理を行ってもよい。後処理としては、洗髪、ドライヤー等の乾燥手段による乾燥、毛髪処理剤の付与等の処理を単独又は２種以上を組み合わせて行うことができる。後処理における毛髪処理剤として、例えばヘアトリートメント剤、プレヘアトリートメント剤、スタイリング剤、ヘアトニック剤、育毛・養毛剤等が挙げられる。
【００５２】
本実施形態の毛髪処理方法では、毛髪束保持体の中心側部分を該毛髪束保持体の側方に引き出すことによって、毛髪束を螺旋状の形態にすることができる。さらに、毛髪束を螺旋状に巻く操作が簡便であり、螺旋の巻き径の微調整を容易に行うことができる。
【００５３】
本実施形態における毛髪処理方法は、毛髪束に部分的に癖付けを行ってもよく、毛髪束の全体に癖付けを行ってもよい。毛髪束に部分的に癖付けを行う場合、毛髪束の根元と毛先との間の一部、例えば根元側部分、毛先を含む毛先側部分、又は根元側部分と毛先側部分との間の中間部分に対し癖付けを行ってもよい。
【００５４】
癖付け処理を効果的に行う観点から、本実施形態における毛髪処理方法は、湿潤状態の毛髪束に癖付け処理を行うことが好ましい。湿潤状態の毛髪束に癖付け処理を行う場合、好ましくは巻き上げ工程よりも前、より好ましくは挿入工程よりも前の段階で毛髪束を湿潤状態にする。「湿潤状態」とは、毛髪束に水又はスタイリング剤等の毛髪処理剤を付与することにより、毛髪束の毛髪の表面が湿った状態であることを意味する。スタイリング剤等の毛髪処理剤は、一般的に市販されているものを使用することができる。毛髪束を湿潤状態にする方法は、特に制限されず、例えば水や毛髪処理剤を霧吹きスプレー等を用いて毛髪束に噴霧する方法や、シャワー等で毛髪束に流水をかける方法等が挙げられる。また、挿入工程の前に洗髪等を行い、毛髪を乾かさない状態、又は半乾きの状態で該毛髪処理方法を行ってもよい。あるいは、挿入工程の後、又は巻き上げ工程の後に、毛髪保持具のスリットを介して、筒状体内の毛髪束に水又は毛髪処理剤を付与して、該毛髪束を湿潤状態にしてもよい。即ち、毛髪束を筒状体２に挿入する前、毛髪束を筒状体２に挿入した後、及び筒状体２を巻き上げた後の何れかの段階で、毛髪束を湿潤状態にして、該毛髪束に癖付け処理を行ってもよい。
【００５５】
毛髪保持具の各部の形成材料について説明する。
筒状体を構成するシートの形成材料としては、例えば、不織布（ポリエチレン不織布、ポリエチレンテレフタレート不織布等）、織布、網状シート、多孔性又は非多孔性の樹脂フィルム（ポリエチレンフィルム、ポリエチレンテレフタレートフィルム等）、紙、高分子材料シート、ゴムシート、又はこれらの複合体等が挙げられる。
一面シート及び他面シートの各厚みは、好ましくは５μｍ以上、より好ましくは１０μｍ以上であり、また好ましくは２０００μｍ以下、より好ましくは１５００μｍ以下であり、好ましくは５μｍ以上２０００μｍ以下、より好ましくは１０μｍ以上１５００μｍ以下である。
【００５６】
筒状体を構成するシートは、パーマネントウェーブ剤等の毛髪処理剤の拡散性を向上させる加工が施されていることが好ましい。このような加工は、特に制限されないが、エンボス加工、カレンダー加工、樹脂膜形成加工等が挙げられる。例えばエンボス加工は、シートの長手方向に連なる凸部を形成することにより、毛髪処理剤が該凸部を伝うことで拡散性を向上させることができる。カレンダー加工は、筒状体を構成するシートの密度を調整することにより、毛髪処理剤の拡散性を向上させることができる。樹脂膜形成加工は、筒状体を構成するシートの一部あるいは全部に吸液性の低い樹脂膜を形成し該シート全体の吸液量を低減させることにより、毛髪処理剤の拡散性を向上させることができる。
【００５７】
毛髪保持具の製造方法について説明する。毛髪保持具の筒状体は、２枚のシートを重ね合わせ、これら両シートの長手方向に沿う側部どうしを一体化することにより形成することができる。また、平面視形状が長方形状となるよう１枚のシートを折り畳み、該シートどうしが重なり合う部分であって、長手方向に沿う側部どうしを一体化することにより形成することができる。筒状体を形成するシートは、原反シートから所望の形状で型抜いて製造することができる。
筒状体を形成するシートどうしを一体化する方法、即ち一対の側部結合部２４，２４を形成する方法としては、例えばヒートシールや超音波シール等の融着、接着剤等の接着又は縫合等が挙げられる。
【００５８】
固定部材である第１及び第２部材は、これら部材を筒状体を形成するシートと一体化することにより、該筒状体に設けることができる。この場合、例えば、第１部材５ａと一面シート２３Ａとを一体化し、さらに第２部材５ｂと他面シート２３Ｂとを一体化する。固定部材と筒状体を形成するシートとを一体化する方法としては、例えばヒートシールや超音波シール等の融着、接着剤等の接着又は縫合等が挙げられる。
【００５９】
本発明の毛髪保持具は、前記実施形態に制限されることなく、本発明の趣旨を逸脱しない限り、適宜変更が可能である。
例えば、「筒状体２」を構成するシート材の形状及びその表面は、凹凸を有する面であってもよく、平坦な面であってもよい。
【００６０】
本発明は更に以下の毛髪保持具及びその製造方法を開示する。
＜１＞
一端の開口部から他端の開口部に向けて毛髪束を挿入可能に構成され、巻き上げ可能に構成されている筒状体と、該筒状体を巻き上げた状態を保持する固定部材とを有する毛髪保持具であって、
前記筒状体は、長手方向及び該長手方向に直交する幅方向を有しており、且つ巻き上げ時に内側に位置する一面シート及び巻き上げ時に外側に位置する他面シートを有しており、
前記他面シートは、前記幅方向に延び且つ前記長手方向に間欠的に並んだ複数のスリットを有しており、
前記固定部材は脱着自在に結合可能な第１及び第２部材を有しており、
前記一面シートは、前記長手方向において前記一端の開口部側に前記第１部材が設けられており、
前記他面シートは、前記複数のスリットを有する前記幅方向の中央域と、該中央域の両側に位置する一対の側部域とを有し、該一対の側部域それぞれに前記第２部材が前記長手方向に延びて設けられている、毛髪保持具。
【００６１】
＜２＞
前記第１部材が機械的面ファスナーの雄部材であり、前記第２部材が機械的面ファスナーの雌部材である、前記＜１＞に記載の毛髪保持具。
＜３＞
前記第２部材が、前記スリットの端部と重なるように配置されている、前記＜１＞又は＜２＞に記載の毛髪保持具。
＜４＞
前記スリットは、その両端部に円形の部分を有している、前記＜１＞〜＜３＞の何れか１に記載の毛髪保持具。
＜５＞
前記第２部材は、前記側部域に存在する部分の前記幅方向の長さＷ１２が、該第２部材の前記幅方向の長さＷ１０の５０％以上、好ましくは７０％以上であり、また１００％以下、好ましくは９０％以下であり、また５０％以上１００％以下、好ましくは７０％以上９０％以下である、前記＜１＞〜＜４＞の何れか１に記載の毛髪保持具。
＜６＞
前記第２部材の前記長手方向の長さＬ５は、前記筒状体の前記長手方向の長さＬ２の１０％以上、好ましくは２０％以上であり、また１００％以下、好ましくは９０％以下であり、また１０％以上１００％以下、好ましくは２０％以上９０％以下である、前記＜１＞〜＜５＞の何れか１に記載の毛髪保持具。
＜７＞
前記第２部材は、前記長手方向において前記一端の開口部から、前記筒状体の前記長手方向の長さＬ２の０％以上９０％以下の範囲内、好ましくは５％以上８５％以下の範囲内、より好ましくは１０％以上８０％以下の範囲内に配されている、前記＜１＞〜＜５＞の何れか１に記載の毛髪保持具。
＜８＞
前記第１部材は、前記幅方向に長い形状を有している、前記＜１＞〜＜７＞の何れか１に記載の毛髪保持具。
＜９＞
前記第１部材の前記幅方向の長さは、前記筒状体の前記幅方向の長さの７０％以上１００％以下である、前記＜１＞〜＜８＞の何れか１に記載の毛髪保持具。
＜１０＞
前記第１部材の前記幅方向の長さは、前記筒状体の前記幅方向の長さの７０％以上、好ましくは８０％以上であり、また１００％以下、好ましくは９５％以下であり、また７０％以上１００％以下、好ましくは８０％以上９５％以下である、前記＜１＞〜＜９＞の何れか１に記載の毛髪保持具。
【００６２】
＜１１＞
前記一面シートは、前記筒状体から前記長手方向の外方に延出した延設部を有している、前記＜１＞〜＜１０＞の何れか１に記載の毛髪保持具。
＜１２＞
前記一面シートは、前記筒状体の前記一端の開口部側に前記延設部を有している、前記＜１＞〜＜１１＞の何れか１に記載の毛髪保持具。
＜１３＞
前記延設部は前記一面シートと一体的に形成されている、前記＜１＞〜＜１２＞の何れか１に記載の毛髪保持具。
＜１４＞
前記第１部材は、前記延設部の外面側に位置している、前記＜１＞〜＜１３＞の何れか１に記載の毛髪保持具。
＜１５＞
前記第２部材は、前記他面シートの外面側に位置している、前記＜１＞〜＜１４＞の何れか１に記載の毛髪保持具。
＜１６＞
前記筒状体は、前記一面シートと前記他面シートとを結合する一対の側部結合部と、該一対の側部結合部間に位置する筒状部とを有しており、
前記筒状部は、前記長手方向において前記一端の開口部と前記他端の開口部との間に前記毛髪束が挿入される空間を有している、前記＜１＞〜＜１５＞の何れか１に記載の毛髪保持具。
＜１７＞
前記側部結合部に補強材を有している、前記＜１６＞に記載の毛髪保持具。
＜１８＞
前記第２部材は、前記側部結合部と重ならない位置に配置されている、前記＜１６＞又は＜１７＞に記載の毛髪保持具。
＜１９＞
前記筒状体の前記長手方向に沿う両側縁部それぞれに巻き締め片を有している、前記＜１＞〜＜１８＞の何れか１に記載の毛髪保持具。
＜２０＞
前記幅方向における前記筒状体の長さＷ２は、２５ｍｍ以上、好ましくは３０ｍｍ以上であり、また２００ｍｍ以下、好ましくは１５０ｍｍ以下であり、また２５ｍｍ以上２００ｍｍ以下、好ましくは３０ｍｍ以上１５０ｍｍ以下である、前記＜１＞〜＜１９＞の何れか１に記載の毛髪保持具。
【００６３】
＜２１＞
前記長手方向における前記毛髪保持具の長さＬ１は、５０ｍｍ以上、好ましくは１００ｍｍ以上であり、また４００ｍｍ以下、好ましくは３５０ｍｍ以下であり、また５０ｍｍ以上４００ｍｍ以下、好ましくは１００ｍｍ以上３５０ｍｍ以下である、前記＜１＞〜＜２０＞の何れか１に記載の毛髪保持具。
＜２２＞
前記長手方向における前記筒状体の長さＬ２は、４５ｍｍ以上、好ましくは９０ｍｍ以上であり、また３００ｍｍ以下、好ましくは２７５ｍｍ以下であり、また４５ｍｍ以上３００ｍｍ以下、好ましくは９０ｍｍ以上２７５ｍｍ以下である、前記＜１＞〜＜２１＞の何れか１に記載の毛髪保持具。
＜２３＞
前記幅方向における前記他端の開口部の長さＷ２２は、前記幅方向における前記筒状体の長さＷ２に対して、４０．０％以上、好ましくは６６．７％以上であり、また９７．５％以下、好ましくは９６．７％以下であり、また４０．０％以上９７．５％以下、好ましくは６６．７％以上９６．７％以下である、前記＜１＞〜＜２２＞の何れか１に記載の毛髪保持具。
＜２４＞
前記幅方向における前記他端の開口部の長さＷ２２は、１０ｍｍ以上、好ましくは２０ｍｍ以上であり、また１９５ｍｍ以下、好ましくは１４５ｍｍ以下であり、また１０ｍｍ以上１９５ｍｍ以下、好ましくは２０ｍｍ以上１４５ｍｍ以下である、前記＜１＞〜＜２３＞の何れか１に記載の毛髪保持具。
＜２５＞
前記幅方向における前記スリットの長さＷ６は、前記幅方向における前記筒状体の長さＷ２に対して４０．０％以上、好ましくは５０．０％以上であり、また９０．０％以下、好ましくは８０．０％以下であり、また４０．０％以上９０．０％以下、好ましくは５０．０％以上８０．０％以下である、前記＜１＞〜＜２４＞の何れか１に記載の毛髪保持具。
＜２６＞
前記幅方向における前記スリットの長さＷ６は、１０ｍｍ以上、好ましくは１５ｍｍ以上であり、また１８０ｍｍ以下、好ましくは１２０ｍｍ以下であり、また１０ｍｍ以上１８０ｍｍ以下、好ましくは１５ｍｍ以上１２０ｍｍ以下である、前記＜１＞〜＜２５＞の何れか１に記載の毛髪保持具。
＜２７＞
前記＜１＞〜＜２６＞の何れか１に記載の毛髪保持具の製造方法であって、
前記第２部材と前記他面シートとを融着により一体化する、毛髪保持具の製造方法。
＜２８＞
前記＜１＞〜＜２６＞の何れか１に記載の毛髪保持具の製造方法であって、
前記第２部材と前記他面シートとを接着により一体化する、毛髪保持具の製造方法。
＜２９＞
前記＜１＞〜＜２６＞の何れか１に記載の毛髪保持具の製造方法であって、
前記第２部材と前記他面シートとを縫合により一体化する、毛髪保持具の製造方法。
＜３０＞
前記＜１＞〜＜２９＞の何れか１項に記載の毛髪保持具を用いて、前記毛髪束を前記筒状体に挿入し、該筒状体を巻き上げて該毛髪束に癖付け処理を行なう、毛髪保持具の使用方法。
＜３１＞
前記毛髪束を前記筒状体に挿入する前、前記毛髪束を前記筒状体に挿入した後、及び前記筒状体を巻き上げた後の何れかの段階で、前記毛髪束を湿潤状態にして、該毛髪束に癖付け処理を行う、前記＜３０＞に記載の毛髪保持具の使用方法。
【産業上の利用可能性】
【００６４】
本発明によれば、パーマ液等の毛髪処理剤を毛髪束に付与し易く、筒状体の巻回状態の解除時にスリット端部への応力の集中を抑制し、且つ毛髪束に付与する形状の自由度が高い毛髪保持具、該毛髪保持具の製造方法、及び該毛髪保持具の使用方法が提供される。
【要約】
本発明の毛髪保持具（１）は、筒状体（２）と、固定部材（５）とを有している。筒状体（２）は、一面シート（２３Ａ）及び他面シート（２３Ｂ）を有している。他面シート（２３Ｂ）は、幅方向に延び且つ長手方向に間欠的に並んだ複数のスリット（２５）を有している。固定部材（５）は脱着自在に結合可能な第１部材（５ａ）及び第２部材（５ｂ）を有している。一面シート（２３Ａ）は、長手方向において一端の開口部（２１）側に第１部材（５ａ）が設けられており、他面シート（２３Ｂ）は、複数のスリットを有する幅方向の中央域（Ｍ）と、該中央域（Ｍ）の両側に位置する一対の側部域（Ｓ）とを有し、該一対の側部域（Ｓ）それぞれに第２部材（５ｂ）が長手方向に延びて設けられている。【図１】
0006735431.tif 000002
【図２】
0006735431.tif 000003
【図３】
0006735431.tif 000004
【図４】
0006735431.tif 000005
【図５】
0006735431.tif 000006
【図６】
0006735431.tif 000007
【図７】
0006735431.tif 000008
【図８】
0006735431.tif 000009
【図９】
0006735431.tif 000010